(57)【要約】      （修正有）【課題】車両の内部にスマートフォンを配置する場所を提供すること。【解決手段】スマートフォン２は、アタッチメント２０１を介して車両１のセンタークラスター１００に設けられたカップホルダー１０２に配置されている。【選択図】図１
2012214087.tif 000002
【特許請求の範囲】
【請求項１】
車両の内部にスマートフォンを配置する構造であって、
アタッチメントを介して車両の内装部材にスマートフォンを配置することを特徴とするスマートフォンの配置構造。
【発明の詳細な説明】
【技術分野】
【０００１】
本発明は、スマートフォンの配置構造に関し、詳しくは、車両の内部にスマートフォンを配置する構造に関する。
【背景技術】
【０００２】
従来、車両の内部に持ち込んだスマートフォンの配置場所として、例えば、空いているシートの着座面等に置く技術が知られている。これにより、例えば、運転席の乗員は、スマートフォンを簡単に置くことができる。
【先行技術文献】
【特許文献】
【０００３】
なお、この出願の発明に関連する先行技術文献情報としては、例えば、特許文献１が知られている。
【特許文献１】特開２００９−７６３４６号公報
【発明の概要】
【発明が解決しようとする課題】
【０００４】
しかしながら、上述した従来技術では、車両の加速や減速によって、着座面からスマートフォンが滑り落ちることがあった。そのため、車両の内部にスマートフォンの配置する場所が求められていた。
【０００５】
本発明は、このような課題を解決しようとするもので、その目的は、車両の内部にスマートフォンを配置する場所を提供することである。
【課題を解決するための手段】
【０００６】
本発明は、上記の目的を達成するためのものであって、以下のように構成されている。
請求項１に記載の発明は、車両の内部にスマートフォンを配置する構造であって、アタッチメントを介して車両の内装部材にスマートフォンを配置することを特徴とする構成である。
この構成によれば、アタッチメントを介して車両の内装部材にスマートフォン２を配置できる。
【図面の簡単な説明】
【０００７】
【図１】図１は、本発明の実施例１に係るスマートフォンの配置構造を適用した車両内部の斜視図である。
【図２】図２は、本発明の実施例２に係るスマートフォンの配置構造を適用した車両内部の斜視図である。
【図３】図３は、本発明の実施例３に係るスマートフォンの配置構造を適用した車両内部の斜視図である。
【図４】図４は、本発明の実施例４に係るスマートフォンの配置構造を適用した車両内部の斜視図である。
【図５】図５は、本発明の実施例５に係るスマートフォンの配置構造を適用した車両内部の斜視図である。
【図６】図６は、本発明の実施例６に係るスマートフォンの配置構造を適用した車両内部の斜視図である。
【図７】図７は、本発明の実施例７に係るスマートフォンの配置構造を適用した車両内部の斜視図である。
【図８】図８は、本発明の実施例８に係るスマートフォンの配置構造を適用した車両内部の斜視図である。
【図９】図９は、本発明の実施例９に係るスマートフォンの配置構造を適用した車両内部の斜視図である。
【図１０】図１０は、本発明の実施例１０に係るスマートフォンの配置構造を適用した車両内部の斜視図である。
【図１１】図１１は、本発明の実施例１１に係るスマートフォンの配置構造を適用した車両内部の斜視図である。
【図１２】図１２は、本発明の実施例１２に係るスマートフォンの配置構造を適用した車両内部の斜視図である。
【図１３】図１３は、本発明の実施例１３に係るスマートフォンの配置構造を適用した車両内部の斜視図である。
【図１４】図１４は、本発明の実施例１４に係るスマートフォンの配置構造を適用した車両内部の斜視図である。
【図１５】図１５は、本発明の実施例１５に係るスマートフォンの配置構造を適用した車両内部の斜視図である。
【図１６】図１６は、本発明の実施例１６に係るスマートフォンの配置構造を適用した車両内部の斜視図である。
【図１７】図１７は、本発明の実施例１７に係るスマートフォンの配置構造を適用した車両内部の斜視図である。
【図１８】図１８は、本発明の実施例１８に係るスマートフォンの配置構造を適用した車両内部の斜視図である。
【図１９】図１９は、本発明の実施例１９に係るスマートフォンの配置構造を適用した車両内部の斜視図である。
【図２０】図２０は、本発明の実施例２０に係るスマートフォンの配置構造を適用した車両内部の斜視図である。
【図２１】図２１は、本発明の実施例２１に係るスマートフォンの配置構造を適用した車両内部の斜視図である。
【図２２】図２２は、本発明の実施例２２に係るスマートフォンの配置構造を適用した車両内部の斜視図である。
【図２３】図２３は、本発明の実施例２３に係るスマートフォンの配置構造を適用した車両内部の斜視図である。
【図２４】図２４は、本発明の実施例２４に係るスマートフォンの配置構造を適用した車両内部の斜視図である。
【図２５】図２５は、本発明の実施例２５に係るスマートフォンの配置構造を適用した車両内部の斜視図である。
【図２６】図２６は、本発明の実施例２６に係るスマートフォンの配置構造を適用した車両内部の斜視図である。
【図２７】図２７は、本発明の実施例２７に係るスマートフォンの配置構造を適用した車両内部の斜視図である。
【図２８】図２８は、本発明の実施例２８に係るスマートフォンの配置構造を適用した車両内部の斜視図である。
【図２９】図２９は、本発明の実施例２９に係るスマートフォンの配置構造を適用した車両内部の斜視図である。
【図３０】図３０は、本発明の実施例３０に係るスマートフォンの配置構造を適用した車両内部の斜視図である。
【図３１】図３１は、本発明の実施例３１に係るスマートフォンの配置構造を適用した車両内部の斜視図である。
【図３２】図３２は、本発明の実施例３２に係るスマートフォンの配置構造を適用した車両内部の斜視図である。
【図３３】図３３は、本発明の実施例３３に係るスマートフォンの配置構造を適用した車両内部の斜視図である。
【図３４】図３４は、本発明の実施例３４に係るスマートフォンの配置構造を適用した車両内部の斜視図である。
【図３５】図３５は、本発明の実施例３５に係るスマートフォンの配置構造を適用した車両内部の斜視図である。
【図３６】図３６は、本発明の実施例３６に係るスマートフォンの配置構造を適用した車両内部の斜視図である。
【図３７】図３７は、本発明の実施例３７に係るスマートフォンの配置構造を適用した車両内部の斜視図である。
【図３８】図３８は、本発明の実施例３８に係るスマートフォンの配置構造を適用した車両内部の斜視図である。
【図３９】図３９は、本発明の実施例３９に係るスマートフォンの配置構造を適用した車両内部の斜視図である。
【図４０】図４０は、本発明の実施例４０に係るスマートフォンの配置構造を適用した車両内部の斜視図である。
【図４１】図４１は、本発明の実施例４１に係るスマートフォンの配置構造を適用した車両内部の斜視図である。
【図４２】図４２は、本発明の実施例４２に係るスマートフォンの配置構造を適用した車両内部の斜視図である。
【図４３】図４３は、本発明の実施例４３に係るスマートフォンの配置構造を適用した車両内部の斜視図である。
【図４４】図４４は、本発明の実施例４４に係るスマートフォンの配置構造を適用した車両内部の斜視図である。
【図４５】図４５は、本発明の実施例４５に係るスマートフォンの配置構造を適用した車両内部の斜視図である。
【図４６】図４６は、本発明の実施例４６に係るスマートフォンの配置構造を適用した車両内部の斜視図である。
【図４７】図４７は、本発明の実施例４７に係るスマートフォンの配置構造を適用した車両内部の斜視図である。
【図４８】図４８は、本発明の実施例４８に係るスマートフォンの配置構造を適用した車両内部の斜視図である。
【図４９】図４９は、本発明の実施例４９に係るスマートフォンの配置構造を適用した車両内部の斜視図である。
【図５０】図５０は、本発明の実施例５０に係るスマートフォンの配置構造を適用した車両内部の斜視図である。
【図５１】図５１は、本発明の実施例５１に係るスマートフォンの配置構造を適用した車両内部の斜視図である。
【図５２】図５２は、本発明の実施例５２に係るスマートフォンの配置構造を適用した車両内部の斜視図である。
【発明を実施するための形態】
【０００８】
以下、本発明を実施するための形態を、図面を用いて説明する。
（実施例１）
まず、図１を参照して、本発明の実施例１を説明する。以下の説明にあたって、上、下、前、後、左、右とは、上述した図に記載した、上、下、前、後、左、右の方向、すなわち、車両１を基準にしたときの上、下、前、後、左、右の方向を示している。このことは、後述する全ての実施例においても同様である。
【０００９】
なお、この実施例１では、『車両の内装部材』として、『センタークラスター１００のカップホルダー１０２』を例に説明することとする。このことは、後述する実施例２においても同様である。
【００１０】
図１に示すように、車両１のセンタークラスター１００には、引き出し式のカップホルダー１０２が設けられている。このカップホルダー１０２には、アタッチメント２０１が差し込み可能となっている。このアタッチメント２０１を詳述すると、このアタッチメント２０１は、円柱状に形成された差込体２０１ａと、この差込体２０１ａの上部に形成されたケース体２０１ｂとから構成されている。
【００１１】
このケース体２０１ｂは、スマートフォン２を収納できるように形成されている。また、このケース体２０１ｂは、収納したスマートフォン２を操作可能となるように、その表面が大きく切り欠かれている。また、このケース体２０１ｂは、その内面（収納したスマートフォン２と接する面）と、それ以外とは、例えば、エラストマとＰＰとから成る二色成形によって形成されている。これにより、収納したスマートフォン２の表面に傷が付くことを防止できる。
【００１２】
本発明の実施例１に係るスマートフォン２の配置構造は、上述したように構成されている。この構成によれば、カップホルダー１０２に差し込み可能なアタッチメント２０１にスマートフォン２を収納できる。そのため、カップホルダー１０２にスマートフォン２を配置できる。
【００１３】
（実施例２）
次に、図２を参照して、本発明の実施例２を説明する。図２に示すように、このカップホルダー１０２には、アタッチメント２０２が差し込み可能となっている。このアタッチメント２０２を詳述すると、このアタッチメント２０２は、円柱状に形成された差込体２０２ａと、この差込体２０２ａの上部に形成されたホルダー２０２ｂとから構成されている。
【００１４】
このホルダー２０２ｂは、スマートフォン２を収納できるように形成されている。また、このホルダー２０２ｂも、実施例１と同様に、その内面（収納したスマートフォン２と接する面）と、それ以外とは、例えば、エラストマとＰＰとから成る二色成形によって形成されている。これにより、収納したスマートフォン２の表面に傷が付くことを防止できる。
【００１５】
本発明の実施例２に係るスマートフォン２の配置構造は、上述したように構成されている。この構成によれば、実施例１と同様に、センタークラスター１００のカップホルダー１０２にスマートフォン２を収納できる。そのため、カップホルダー１０２にスマートフォン２を配置できる。
【００１６】
（実施例３）
次に、図３を参照して、本発明の実施例３を説明する。なお、この実施例３では、『車両の内装部材』として、『コンソールボックス１２０のカップホルダー１２２』を例に説明することとする。このことは、後述する実施例４においても同様である。
【００１７】
図３に示すように、車両１のコンソールボックス１２０には、カップホルダー１２２が設けられている。このカップホルダー１２２には、アタッチメント２０３が差し込み可能となっている。このアタッチメント２０３を詳述すると、このアタッチメント２０３は、円柱状に形成された差込体２０３ａと、この差込体２０３ａの側部に形成されたホルダー２０３ｂとから略Ｌ字状に構成されている。
【００１８】
このホルダー２０３ｂは、スマートフォン２を収納できるように形成されている。また、このホルダー２０３ｂも、実施例１〜２と同様に、その内面（収納したスマートフォン２と接する面）と、それ以外とは、例えば、エラストマとＰＰとから成る二色成形によって形成されている。これにより、収納したスマートフォン２の表面に傷が付くことを防止できる。
【００１９】
本発明の実施例３に係るスマートフォン２の配置構造は、上述したように構成されている。この構成によれば、カップホルダー１２２に差し込み可能なアタッチメント２０３にスマートフォン２を収納できる。そのため、コンソールボックス１２０のカップホルダー１２２にスマートフォン２を配置できる。
【００２０】
（実施例４）
次に、図４を参照して、本発明の実施例４を説明する。図４に示すように、このカップホルダー１２２には、アタッチメント２０４が差し込み可能となっている。このアタッチメント２０４を詳述すると、このアタッチメント２０４は、円柱状に形成された差込体２０４ａと、この差込体２０４ａの上部に形成された切欠２０４ｂとから構成されている。
【００２１】
この切欠２０４ｂは、スマートフォン２を差し込みできるように形成されている。また、この切欠２０４ｂも、実施例３と同様に、その内面（差し込んだスマートフォン２と接する面）と、それ以外とは、例えば、エラストマとＰＰとから成る二色成形によって形成されている。これにより、差し込んだスマートフォン２の表面に傷が付くことを防止できる。
【００２２】
本発明の実施例４に係るスマートフォン２の配置構造は、上述したように構成されている。この構成によれば、カップホルダー１２２に差し込み可能なアタッチメント２０４にスマートフォン２を差し込むことができる。そのため、コンソールボックス１２０のカップホルダー１２２にスマートフォン２を配置できる。
【００２３】
（実施例５）
次に、図５を参照して、本発明の実施例５を説明する。なお、この実施例５では、『車両の内装部材』として、『運転席ドア１３０のドアトリム１３２』を例に説明することとする。このことは、後述する実施例６においても同様である。
【００２４】
図５に示すように、車両１の運転席ドア１３０の内面には、ドアトリム１３２が設けられている。このドアトリム１３２には、運転席ドア１３０を開閉可能な凹み状の取っ手１３４が形成されている。この取っ手１３４は、スマートフォン２を差し込みできるように形成されている。この取っ手１３４が、特許請求の範囲に記載の「アタッチメント」に相当する。
【００２５】
本発明の実施例５に係るスマートフォン２の配置構造は、上述したように構成されている。この構成によれば、ドアトリム１３２の取っ手１３４にスマートフォン２を差し込むことができる。そのため、運転席ドア１３０のドアトリム１３２にスマートフォン２を配置できる。
【００２６】
（実施例６）
次に、図６を参照して、本発明の実施例６を説明する。図６に示すように、車両１の運転席ドア１３０の内面には、ドアトリム１３２が設けられている。このドアトリム１３２には、スマートフォン２を収納可能なポケット１３６が形成されている。このポケット１３６が、特許請求の範囲に記載の「アタッチメント」に相当する。
【００２７】
本発明の実施例６に係るスマートフォン２の配置構造は、上述したように構成されている。この構成によれば、ドアトリム１３２のポケット１３６にスマートフォン２を収納できる。そのため、運転席ドア１３０のドアトリム１３２にスマートフォン２を配置できる。
【００２８】
（実施例７）
次に、図７を参照して、本発明の実施例７を説明する。なお、この実施例７では、『車両の内装部材』として、『ハンドル１４０』を例に説明することとする。このことは、後述する実施例８〜１１においても同様である。
【００２９】
図７に示すように、車両１のハンドル１４０のベース体１４２には、凹部１４２ａが形成されている。この凹部１４２ａは、スマートフォン２を嵌め込みできるように形成されている。また、この凹部１４２ａは、自身１４２ａにスマートフォン２を嵌め込んだとき、ベース体１４２の表面と嵌め込んだスマートフォン２の表面とが略面一となるように形成されている。なお、嵌め込んだスマートフォン２は、この凹部１４２ａに対する摩擦力によってハンドル１４０に保持されている。この凹部１４２ａが、特許請求の範囲に記載の「アタッチメント」に相当する。
【００３０】
本発明の実施例７に係るスマートフォン２の配置構造は、上述したように構成されている。この構成によれば、ベース体１４２の凹部１４２ａにスマートフォン２を嵌め込むことができる。そのため、ハンドル１４０にスマートフォン２を配置できる。
【００３１】
（実施例８）
次に、図８を参照して、本発明の実施例８を説明する。図８に示すように、車両１のハンドル１４０のベース体１４２の上部には、切欠１４２ｂが形成されている。このベース体１４２は、その内部に切欠１４２ｂを介してスマートフォン２を収納できるように形成されている。また、このベース体１４２には、スマートフォン２を収納したとき、収納したスマートフォン２を操作可能となるように開口１４２ｃが形成されている。この切欠１４２ｂが、特許請求の範囲に記載の「アタッチメント」に相当する。
【００３２】
本発明の実施例８に係るスマートフォン２の配置構造は、上述したように構成されている。この構成によれば、ベース体１４２の内部にスマートフォン２を収納できる。そのため、ハンドル１４０にスマートフォン２を配置できる。
【００３３】
（実施例９）
次に、図９を参照して、本発明の実施例９を説明する。この実施例９は、既に説明した実施例７と比較すると、ベース体１４２の凹部１４２ａに嵌め込んだスマートフォン２を簡便に取り出すことができる形態である。そのため、図９に示すように、車両１のハンドル１４０のベース体１４２には、プッシュボタン１４２ｄと、取出機構（図示しない）とが設けられている。そして、このプッシュボタン１４２ｄを操作すると、ベース体１４２の凹部１４２ａに嵌め込まれたスマートフォン２が取出機構（図示しない）を介して取り出される。
【００３４】
本発明の実施例９に係るスマートフォン２の配置構造は、上述したように構成されている。この構成によれば、実施例７と同様の作用効果を得ることができる。そのため、ハンドル１４０にスマートフォン２を配置できる。また、この構成によれば、ハンドル１４０に収納したスマートフォン２を簡便に取り出すことができる。
【００３５】
（実施例１０）
次に、図１０を参照して、本発明の実施例１０を説明する。図１０に示すように、車両１のハンドル１４０には、リング１４６、１４６を介してケース１４４が取り付けられている。このケース１４４は、その内部にスマートフォン２を収納できるように形成されている。このケース１４４とリング１４６とが、特許請求の範囲に記載の「アタッチメント」に相当する。
【００３６】
本発明の実施例１０に係るスマートフォン２の配置構造は、上述したように構成されている。この構成によれば、ケース１４４の内部にスマートフォン２を収納できる。そのため、ハンドル１４０にスマートフォン２を配置できる。
【００３７】
（実施例１１）
次に、図１１を参照して、本発明の実施例１１を説明する。この実施例１１は、既に説明した実施例７と比較すると、ベース体１４２の凹部１４２ａに嵌め込んだスマートフォン２のハンドル１４０に対する保持力を向上させた形態である。そのため、図１１に示すように、ベース体１４２の凹部１４２ａの四隅には、この凹部１４２ａに収納したスマートフォン２を引っ掛け可能な爪１４８〜１４８が形成されている。
【００３８】
本発明の実施例１１に係るスマートフォン２の配置構造は、上述したように構成されている。この構成によれば、実施例７と同様の作用効果を得ることができる。そのため、ハンドル１４０にスマートフォン２を配置できる。また、この構成によれば、ハンドル１４０に収納したスマートフォン２の保持力（収納力）を向上させることができる。
【００３９】
（実施例１２）
次に、図１２を参照して、本発明の実施例１２を説明する。なお、この実施例１２では、『車両の内装部材』として、『運転席１のシートバック１４』を例に説明することとする。
【００４０】
図１２に示すように、車両１には、シートクッション１２とシートバック１４とから成る運転席１０が設けられている。このシートバック１４の背面には、ポケット１４ａが形成されている。このポケット１４ａは、スマートフォン２を収納できるように形成されている。このポケット１４ａが、特許請求の範囲に記載の「アタッチメント」に相当する。また、このポケット１４ａには、収納したスマートフォン２を充電可能な充電ケーブル１４ｂが設けられている。
【００４１】
本発明の実施例１２に係るスマートフォン２の配置構造は、上述したように構成されている。この構成によれば、ポケット１４ａにスマートフォン２を収納できる。そのため、運転席１０のシートバック１４にスマートフォン２を配置できる。
【００４２】
（実施例１３）
次に、図１３を参照して、本発明の実施例１３を説明する。なお、この実施例１３では、『車両の内装部材』として、『運転席（図示しない）のサンバイザー３０』を例に説明することとする。
【００４３】
図１３に示すように、車両１には、運転席（図示しない）の乗員のためのサンバイザー３０が設けられている。このサンバイザー３０には、留め具３２、３２を介してスマートフォン２を取り付けることができる。このとき、スマートフォン２の両端が留め具３２、３２を介して取り付けられるため、この取り付け状態において、サンバイザー３０を使用状態（図１３に示すように、サンバイザー３０を降ろした状態）にすると、スマートフォン２も操作できる。この留め具３２が、特許請求の範囲に記載の「アタッチメント」に相当する。
【００４４】
本発明の実施例１３に係るスマートフォン２の配置構造は、上述したように構成されている。この構成によれば、運転席（図示しない）のサンバイザー３０にスマートフォン２を取り付けることができる。そのため、運転席（図示しない）のサンバイザー３０にスマートフォン２を配置できる。
【００４５】
（実施例１４）
次に、図１４を参照して、本発明の実施例１４を説明する。なお、この実施例１４では、『車両の内装部材』として、『グローブボックス４０』を例に説明することとする。
【００４６】
図１４に示すように、車両１のインストルメントパネル７０には、グローブボックス４０が設けられている。このグローブボックス４０の表面には、ホルダー４２が設けられている。このホルダー４２が、特許請求の範囲に記載の「アタッチメント」に相当する。このホルダー４２は、スマートフォン２を装着できるように形成されている。
【００４７】
本発明の実施例１４に係るスマートフォン２の配置構造は、上述したように構成されている。この構成によれば、ホルダー４２にスマートフォン２を取り付けることができる。そのため、グローブボックス４０にスマートフォン２を配置できる。
【００４８】
（実施例１５）
次に、図１５を参照して、本発明の実施例１５を説明する。なお、この実施例１５では、『車両の内装部材』として、『バックミラー５０』を例に説明することとする。
【００４９】
図１５に示すように、車両１には、バックミラー５０が設けられている。このバックミラー５０の下部には、ホルダー５２が設けられている。このホルダー５２が、特許請求の範囲に記載の「アタッチメント」に相当する。このホルダー５２は、スマートフォン２を装着できるように形成されている。
【００５０】
本発明の実施例１５に係るスマートフォン２の配置構造は、上述したように構成されている。この構成によれば、ホルダー５２にスマートフォン２を取り付けることができる。そのため、バックミラー５０にスマートフォン２を配置できる。
【００５１】
（実施例１６）
次に、図１６を参照して、本発明の実施例１６を説明する。なお、この実施例１６では、『車両の内装部材』として、『オーバーヘッドコンソール６０』を例に説明することとする。このことは、後述する実施例１７においても同様である。
【００５２】
図１６に示すように、車両１には、オーバーヘッドコンソール６０が設けられている。このオーバーヘッドコンソール６０の収納体６２には、その内面に凹部６２ａが形成されている。この凹部６２ａは、スマートフォン２を嵌め込みできるように形成されている。この凹部６２ａが、特許請求の範囲に記載の「アタッチメント」に相当する。また、この凹部６２ａは、自身６２ａにスマートフォン２を嵌め込んだとき、収納体６２の表面と嵌め込んだスマートフォン２の表面とが略面一となるように形成されている。なお、嵌め込んだスマートフォン２は、この凹部６２ａに対する摩擦力によって収納体６２に保持されている。
【００５３】
本発明の実施例１６に係るスマートフォン２の配置構造は、上述したように構成されている。この構成によれば、収納体６２の凹部６２ａにスマートフォン２を嵌め込むことができる。そのため、オーバーヘッドコンソール６０にスマートフォン２を配置できる。
【００５４】
（実施例１７）
次に、図１７を参照して、本発明の実施例１７を説明する。この実施例１７は、既に説明した実施例１６と比較すると、オーバーヘッドコンソール６０を使用していない状態で（収納体６２を閉じた状態）、このオーバーヘッドコンソール６０にスマートフォン２を収納できる形態である。
【００５５】
そのため、図１７に示すように、このオーバーヘッドコンソール６０の収納体６２には、その外面に凹部６２ａが形成されている。この凹部６２ａは、スマートフォン２を嵌め込みできるように形成されている。また、この凹部６２ａは、自身６２ａにスマートフォン２を嵌め込んだとき、収納体６２の表面と嵌め込んだスマートフォン２の表面とが略面一となるように形成されている。なお、嵌め込んだスマートフォン２は、この凹部６２ａに対する摩擦力によって収納体６２に保持されている。
【００５６】
本発明の実施例１７に係るスマートフォン２の配置構造は、上述したように構成されている。この構成によれば、実施例１６と同様の作用効果を得ることができる。そのため、オーバーヘッドコンソール６０にスマートフォン２を配置できる。また、この構成によれば、オーバーヘッドコンソール６０を使用していない状態で（収納体６２を閉じた状態）、オーバーヘッドコンソール６０にスマートフォン２を配置できる。
【００５７】
（実施例１８）
次に、図１８を参照して、本発明の実施例１８を説明する。なお、この実施例１８では、『車両の内装部材』として、『コンソールボックス１２０』を例に説明することとする。このことは、後述する実施例１９〜２９においても同様である。
【００５８】
図１８に示すように、車両１のコンソールボックス１２０は、主として、ボックス体１２４と蓋体１２６とから構成されている。この蓋体１２６の上面には、スマートフォン２を収納可能な収納部１２６ａが形成されている。この収納部１２６ａが、特許請求の範囲に記載の「アタッチメント」に相当する。また、この蓋体１２６の上面には、その収納部１２６ａを開閉可能なスライド式のカバー１２６ｂが設けられている。これにより、収納部１２６ａに収納したスマートフォン２を覆うことができるため、コンソールボックス１２０の見栄えを向上させることができる。
【００５９】
本発明の実施例１９に係るスマートフォン２の配置構造は、上述したように構成されている。この構成によれば、蓋体１２６の収納部１２６ａにスマートフォン２を収納できる。そのため、コンソールボックス１２０にスマートフォン２を配置できる。
【００６０】
（実施例１９）
次に、図１９を参照して、本発明の実施例１９を説明する。図１９に示すように、車両１のコンソールボックス１２０のボックス体１２４の内部には、複数の仕切り壁１２４ａが設けられている。そして、この複数の仕切り壁１２４ａで区画された域の一つの域にスマートフォン２が収納されている。この仕切り壁１２４ａが、特許請求の範囲に記載の「アタッチメント」に相当する。
【００６１】
本発明の実施例１９に係るスマートフォン２の配置構造は、上述したように構成されている。この構成によれば、蓋体１２６の収納部１２６ａにスマートフォン２を収納できる。そのため、コンソールボックス１２０にスマートフォン２を配置できる。
【００６２】
（実施例２０）
次に、図２０を参照して、本発明の実施例２０を説明する。この実施例２０は、既に説明した実施例１９と比較すると、蓋体１２６が存在しない形態である。なお、図２０に示すように、この蓋体１２６以外の構成は、既に説明した実施例１９と同様である。
【００６３】
本発明の実施例２０に係るスマートフォン２の配置構造は、上述したように構成されている。この構成によれば、実施例１９と同様の作用効果を得ることができる。そのため、コンソールボックス１２０にスマートフォン２を配置できる。また、この構成によれば、蓋体１２６が存在しないため、蓋体１２６の開操作を必要とすることなく、コンソールボックス１２０にスマートフォン２を配置できる。
【００６４】
（実施例２１）
次に、図２１を参照して、本発明の実施例２１を説明する。図２１に示すように、車両１のコンソールボックス１２０は、センタークラスター１００に向けてコンソールアッパー１５０が延設されている。このコンソールアッパー１５０のシフトレバー１５０ａ近傍の上面には、その内部から進退可能なケース１５０ｂが設けられている。このケース１５０ｂは、スマートフォン２を収納できるように形成されている。このケース１５０ｂが、特許請求の範囲に記載の「アタッチメント」に相当する。
【００６５】
また、このケース１５０ｂは、常時は、カバー１５０ｃで覆われる格好を成すように、コンソールアッパー１５０の内部に収納（退行）されている。また、このケース１５０ｂは、カバー１５０ｃに設けられたプッシュボタン（図示しない）を操作すると、カバー１５０ｃを押し開けて自身１５０ｂがバネ（図示しない）力によって出てくる（進出する）ように構成されている。
【００６６】
本発明の実施例２１に係るスマートフォン２の配置構造は、上述したように構成されている。この構成によれば、コンソールアッパー１５０のケース１５０ｂにスマートフォン２を収納できる。そのため、コンソールボックス１２０にスマートフォン２を配置できる。
【００６７】
（実施例２２）
次に、図２２を参照して、本発明の実施例２２を説明する。この実施例２２は、既に説明した実施例２１と比較すると、ケース１５０ｂの代わりに眼鏡等を収納できる小物入れ１５０ｅが設けられた形態である。そのため、図２２に示すように、このコンソールアッパー１５０のシフトレバー１５０ａ近傍の上面には、小物入れ１５０ｅが設けられている。この小物入れ１５０ｅは、眼鏡だけでなく、スマートフォン２も収納できるように形成されている。また、この小物入れ１５０ｅには、収納したスマートフォン２を充電可能な充電ケーブル１５０ｄが設けられている。この小物入れ１５０ｅが、特許請求の範囲に記載の「アタッチメント」に相当する。
【００６８】
本発明の実施例２２に係るスマートフォン２の配置構造は、上述したように構成されている。この構成によれば、実施例２１と同様の作用効果を得ることができる。そのため、コンソールボックス１２０にスマートフォン２を配置できる。また、この構成によれば、スマートフォン２だけでなく、眼鏡等も収納できる。
【００６９】
（実施例２３）
次に、図２３を参照して、本発明の実施例２３を説明する。図２３に示すように、車両１のコンソールボックス１２０のボックス体１２４の内部には、トレイ１２４ｂが設けられている。このトレイ１２４ｂは、スマートフォン２を収納できるように形成されている。このトレイ１２４ｂが、特許請求の範囲に記載の「アタッチメント」に相当する。このトレイ１２４ｂには、自身に収納したスマートフォン２の充電ができるように、非接触充電端子（図示しない）が設けられている。これにより、収納と同時にスマートフォン２を充電できる。
【００７０】
本発明の実施例２３に係るスマートフォン２の配置構造は、上述したように構成されている。この構成によれば、トレイ１２４ｂにスマートフォン２を収納できる。そのため、コンソールボックス１２０にスマートフォン２を配置できる。
【００７１】
（実施例２４）
次に、図２４を参照して、本発明の実施例２４を説明する。図２４に示すように、コンソールボックス１２０の左右には、運転席１０と助手席２０とが設けられている。このコンソールボックス１２０のボックス体１２４の前端には、前方に向けて張り出す格好を成すアーム１２４ｃが設けられている。このアーム１２４ｃは、スマートフォン２を収納できるように形成されている。このアーム１２４ｃが、特許請求の範囲に記載の「アタッチメント」に相当する。また、このアーム１２４ｃは、自身１２４ｃに収納したスマートフォン２を運転席１０の乗員がコンソールボックス１２０に肘をついたままの状態で操作できるように、前傾姿勢を成すように形成されている。
【００７２】
本発明の実施例２２に係るスマートフォン２の配置構造は、上述したように構成されている。この構成によれば、アーム１２４ｃにスマートフォン２を収納できる。そのため、コンソールボックス１２０にスマートフォン２を配置できる。
【００７３】
（実施例２５）
次に、図２５を参照して、本発明の実施例２５を説明する。この実施例２５は、既に説明した実施例２３と比較すると、収納したスマートフォン２によって、センタークラスターのナビゲーション（いずれも図示しない）を操作できる形態である。そのため、図２５に示すように、トレイ１２４ｂには、収納したスマートフォン２をナビゲーション（図示しない）に接続可能な接続ケーブル１２４ｄが設けられている。なお、図２５に示すように、接続ケーブル１２４ｄ以外の構成は、既に説明した実施例２３と同様である。
【００７４】
本発明の実施例２５に係るスマートフォン２の配置構造は、上述したように構成されている。この構成によれば、実施例２３と同様の作用効果を得ることができる。そのため、コンソールボックス１２０にスマートフォン２を配置できる。また、この構成によれば、収納したスマートフォン２によって、ナビゲーション（図示しない）を操作できる。
【００７５】
（実施例２６）
次に、図２６を参照して、本発明の実施例２６を説明する。図２６に示すように、車両１のコンソールボックス１２０のボックス体１２４の内部の壁には、ホルダー１２４ｆが設けられている。このホルダー１２４ｆは、スマートフォン２を収納できるように形成されている。このホルダー１２４ｆが、特許請求の範囲に記載の「アタッチメント」に相当する。なお、このように収納したスマートフォン２を、例えば、センタークラスターのナビゲーションモニタのタッチパネル（いずれも図示しない）から操作できるようにしてもよい。
【００７６】
本発明の実施例２６に係るスマートフォン２の配置構造は、上述したように構成されている。この構成によれば、ホルダー１２４ｆにスマートフォン２を収納できる。そのため、コンソールボックス１２０にスマートフォン２を配置できる。
【００７７】
（実施例２７）
次に、図２７を参照して、本発明の実施例２７を説明する。図２７に示すように、このコンソールアッパー１５０のシフトレバー１５０ａの近傍の上面には、ヒンジを介して傾動可能なホルダー１５０ｆが設けられている。このホルダー１５０ｆは、スマートフォン２を収納できるように形成されている。このホルダー１５０ｆが、特許請求の範囲に記載の「アタッチメント」に相当する。また、このホルダー１５０ｆは、スマートフォン２を収納していないときには、自身１５０ｆを倒してコンソールアッパー１５０の上面の内部に収納できるように形成されている。
【００７８】
本発明の実施例２７に係るスマートフォン２の配置構造は、上述したように構成されている。この構成によれば、コンソールアッパー１５０のホルダー１５０ｆにスマートフォン２を収納できる。そのため、コンソールボックス１２０にスマートフォン２を配置できる。また、この構成によれば、ホルダー１５０ｆを引き起こしてスマートフォン２を収納しているとき、この引き起こし角度を、例えば、６０度くらいにすると、スマートフォン２を収納した状態のまま、このスマートフォン２を運転席１０の乗員が操作できる。
【００７９】
（実施例２８）
次に、図２８を参照して、本発明の実施例２８を説明する。図２８に示すように、車両１のコンソールボックス１２０のボックス体１２４の前端には、その内部から引き出し可能なスライダ１２４ｅが設けられている。このスライダ１２４ｅは、スマートフォン２を嵌め込みできるように形成されている。このスライダ１２４ｅが、特許請求の範囲に記載の「アタッチメント」に相当する。
【００８０】
本発明の実施例２８に係るスマートフォン２の配置構造は、上述したように構成されている。この構成によれば、スライダ１２４ｅにスマートフォン２を収納できる。そのため、コンソールボックス１２０にスマートフォン２を配置できる。
【００８１】
（実施例２９）
次に、図２９を参照して、本発明の実施例２９を説明する。この実施例２９は、既に説明した実施例２６と比較すると、スマートフォン２を収納できるホルダー１２４ｆをコンソールボックス１２０のボックス体１２４の外部に設けた形態である。そのため、図２９に示すように、車両１のコンソールボックス１２０のボックス体１２４の外部の壁には、ホルダー１２４ｆが設けられている。
【００８２】
本発明の実施例２９に係るスマートフォン２の配置構造は、上述したように構成されている。この構成によれば、実施例２６と同様の作用効果を得ることができる。そのため、コンソールボックス１２０にスマートフォン２を配置できる。また、この構成によれば、ホルダー１２４ｆをボックス体１２４の外部に設けたため、蓋体１２６の開操作を必要とすることなく、コンソールボックス１２０にスマートフォン２を配置できる。
【００８３】
（実施例３０）
次に、図３０を参照して、本発明の実施例３０を説明する。なお、この実施例３０では、『車両の内装部材』として、『インストルメントパネル７０』を例に説明することとする。このことは、後述する実施例３１〜４０においても同様である。
【００８４】
図３０に示すように、車両１のインストルメントパネル７０におけるハンドル１４０の横には、切欠７８が形成されている。このインストルメントパネル７０は、その内部に切欠７８を介してスマートフォン２を収納できるように形成されている。この切欠７８が、特許請求の範囲に記載の「アタッチメント」に相当する。
【００８５】
本発明の実施例３０に係るスマートフォン２の配置構造は、上述したように構成されている。この構成によれば、切欠７８を介してスマートフォン２を収納できる。そのため、インストルメントパネル７０にスマートフォン２を配置できる。
【００８６】
（実施例３１）
次に、図３１を参照して、本発明の実施例３１を説明する。図３１に示すように、車両１のインストルメントパネル７０の上面には、平面部７４が形成されている。この平面部７４は、スマートフォン２を置ける大きさに形成されている。この平面部７４が、特許請求の範囲に記載の「アタッチメント」に相当する。この平面部７４には、スマートフォン２を充電可能な非接触式の充電端子（図示しない）が設けられている。そのため、この平面部７４にスマートフォン２を置くだけで、スマートフォン２の充電をできる。
【００８７】
本発明の実施例３１に係るスマートフォン２の配置構造は、上述したように構成されている。この構成によれば、平面部７４にスマートフォン２を置くことができる。そのため、インストルメントパネル７０にスマートフォン２を配置できる。
【００８８】
（実施例３２）
次に、図３２を参照して、本発明の実施例３２を説明する。図３２に示すように、車両１のインストルメントパネル７０におけるハンドル１４０側の上面には、ホルダー７６が設けられている。このホルダー７６は、スマートフォン２を装着できるように形成されている。このホルダー７６が、特許請求の範囲に記載の「アタッチメント」に相当する。
【００８９】
本発明の実施例３２に係るスマートフォン２の配置構造は、上述したように構成されている。この構成によれば、ホルダー７６にスマートフォン２を取り付けることができる。そのため、インストルメントパネル７０にスマートフォン２を配置できる。
【００９０】
（実施例３３）
次に、図３３を参照して、本発明の実施例３３を説明する。図３３に示すように、車両１のインストルメントパネル７０における中央（センタークラスター１００の上側）には、ホルダー７６が設けられている。このホルダー７６は、スマートフォン２を装着できるように形成されている。このホルダー７６が、特許請求の範囲に記載の「アタッチメント」に相当する。
【００９１】
本発明の実施例３３に係るスマートフォン２の配置構造は、上述したように構成されている。この構成によれば、ホルダー７６にスマートフォン２を取り付けることができる。そのため、インストルメントパネル７０にスマートフォン２を配置できる。
【００９２】
（実施例３４）
次に、図３４を参照して、本発明の実施例３４を説明する。図３４に示すように、車両１のインストルメントパネル７０におけるハンドル１４０の右側には、オーナメント（加飾パネル）７０ａが設けられている。このオーナメント７０ａには、ホルダー７６が設けられている。このホルダー７６は、スマートフォン２を装着できるように形成されている。このホルダー７６が、特許請求の範囲に記載の「アタッチメント」に相当する。
【００９３】
本発明の実施例３４に係るスマートフォン２の配置構造は、上述したように構成されている。この構成によれば、ホルダー７６にスマートフォン２を取り付けることができる。そのため、インストルメントパネル７０にスマートフォン２を配置できる。
【００９４】
（実施例３５）
次に、図３５を参照して、本発明の実施例３５を説明する。図３５に示すように、車両１のインストルメントパネル７０のメータ７０ｂの横の上面には、切欠７８が形成されている。このインストルメントパネル７０は、その内部に切欠７８を介してスマートフォン２を収納できるように形成されている。この切欠７８が、特許請求の範囲に記載の「アタッチメント」に相当する。また、このインストルメントパネル７０には、スマートフォン２を収納したとき、収納したスマートフォン２を操作可能となるように開口７８ａが形成されている。
【００９５】
本発明の実施例３５に係るスマートフォン２の配置構造は、上述したように構成されている。この構成によれば、切欠７８を介してスマートフォン２を収納できる。そのため、インストルメントパネル７０にスマートフォン２を配置できる。
【００９６】
（実施例３６）
次に、図３６を参照して、本発明の実施例３６を説明する。図３６に示すように、車両１のインストルメントパネル７０における中央（センタークラスター１００の上側）には、ホルダー７６が設けられている。このホルダー７６は、スマートフォン２を装着できるように形成されている。このホルダー７６が、特許請求の範囲に記載の「アタッチメント」に相当する。また、このホルダー７６には、装着したスマートフォン２を充電可能な充電ケーブル７６ｂが接続されている。これにより、スマートフォン２を充電できる。
【００９７】
本発明の実施例３６に係るスマートフォン２の配置構造は、上述したように構成されている。この構成によれば、ホルダー７６にスマートフォン２を取り付けることができる。そのため、インストルメントパネル７０にスマートフォン２を配置できる。
【００９８】
（実施例３７）
次に、図３７を参照して、本発明の実施例３７を説明する。図３７に示すように、車両１のインストルメントパネル７０におけるセンタークラスター１００とハンドル１４０との間には、収納部７２が形成されている。この収納部７２は、スマートフォン２を収納できるように形成されている。この収納部７２が、特許請求の範囲に記載の「アタッチメント」に相当する。また、この収納部７２には、収納したスマートフォン２を覆うための透明のスクリーン７２ｂがヒンジ結合されている。
【００９９】
本発明の実施例３７に係るスマートフォン２の配置構造は、上述したように構成されている。この構成によれば、収納部７２にスマートフォン２を収納できる。そのため、インストルメントパネル７０にスマートフォン２を配置できる。
【０１００】
（実施例３８）
次に、図３８を参照して、本発明の実施例３８を説明する。図３８に示すように、車両１のインストルメントパネル７０には、そのセンタークラスター１００側からハンドル（図示しない）側に向けて引き出し可能なトレイ８４が設けられている。このトレイ８４は、スマートフォン２を嵌め込みできるように形成されている。このトレイ８４が、特許請求の範囲に記載の「アタッチメント」に相当する。
【０１０１】
本発明の実施例３８に係るスマートフォン２の配置構造は、上述したように構成されている。この構成によれば、トレイ８４にスマートフォン２を収納できる。そのため、インストルメントパネル７０にスマートフォン２を配置できる。
【０１０２】
（実施例３９）
次に、図３９を参照して、本発明の実施例３９を説明する。図３９に示すように、車両１のインストルメントパネル７０における中央（センタークラスター１００の上側）には、切欠７８が形成されている。このインストルメントパネル７０は、その内部に切欠７８を介してスマートフォン２の下部を収納できるように形成されている。この切欠７８が、特許請求の範囲に記載の「アタッチメント」に相当する。
【０１０３】
本発明の実施例３９に係るスマートフォン２の配置構造は、上述したように構成されている。この構成によれば、切欠７８を介してスマートフォン２を収納できる。そのため、インストルメントパネル７０にスマートフォン２を配置できる。
【０１０４】
（実施例４０）
次に、図４０を参照して、本発明の実施例４０を説明する。図４０に示すように、車両１のインストルメントパネル７０におけるセンタークラスター１００とハンドル１４０との間には、収納部７２が形成されている。この収納部７２は、スマートフォン２を嵌め込みできるように形成されている。この収納部７２が、特許請求の範囲に記載の「アタッチメント」に相当する。
【０１０５】
本発明の実施例４０に係るスマートフォン２の配置構造は、上述したように構成されている。この構成によれば、収納部７２にスマートフォン２を収納できる。そのため、インストルメントパネル７０にスマートフォン２を配置できる。
【０１０６】
（実施例４１）
次に、図４１を参照して、本発明の実施例４１を説明する。なお、この実施例４１では、『車両の内装部材』として、『センタークラスター１００』を例に説明することとする。このことは、後述する実施例４２〜５２においても同様である。
【０１０７】
図４１に示すように、車両１のセンタークラスター１００におけるナビゲーションモニタ１０４の下には、スマートフォン２を収納可能な収納部１０４ａが形成されている。この収納部１０４ａには、その左右にガイド１０６ａ、１０６ｂがヒンジ結合されている。この両ガイド１０６ａ、１０６ｂは、そのヒンジ回転が同期するように構成されている。また、この両ガイド１０６ａ、１０６ｂは、スマートフォン２の縁を支持できるように形成されている。この両ガイド１０６ａ、１０６ｂが、特許請求の範囲に記載の「アタッチメント」に相当する。
【０１０８】
本発明の実施例４１に係るスマートフォン２の配置構造は、上述したように構成されている。この構成によれば、収納部１０４ａにスマートフォン２を収納できる。そのため、センタークラスター１００にスマートフォン２を配置できる。
【０１０９】
（実施例４２）
次に、図４２を参照して、本発明の実施例４２を説明する。図４２に示すように、車両１のセンタークラスター１００におけるポップアップディスプレィ８０には、収納部８０ａが形成されている。この収納部８０ａは、スマートフォン２を嵌め込みできるように形成されている。この収納部８０ａが、特許請求の範囲に記載の「アタッチメント」に相当する。
【０１１０】
本発明の実施例４２に係るスマートフォン２の配置構造は、上述したように構成されている。この構成によれば、収納部８０ａにスマートフォン２を収納できる。そのため、センタークラスター１００にスマートフォン２を配置できる。
【０１１１】
（実施例４３）
次に、図４３を参照して、本発明の実施例４３を説明する。図４３に示すように、車両１のセンタークラスター１００におけるナビゲーションモニタ１０４の運転席側の横には、切欠１００ａが形成されている。このセンタークラスター１００は、その内部に切欠１００ａを介してスマートフォン２を収納できるように形成されている。この切欠１００ａが、特許請求の範囲に記載の「アタッチメント」に相当する。なお、このように収納したスマートフォン２の操作は、ナビゲーションモニタ１０４のタッチパネルから行うことができるようになっている。
【０１１２】
本発明の実施例４３に係るスマートフォン２の配置構造は、上述したように構成されている。この構成によれば、切欠１００ａを介してスマートフォン２を収納できる。そのため、センタークラスター１００にスマートフォン２を配置できる。
【０１１３】
（実施例４４）
次に、図４４を参照して、本発明の実施例４４を説明する。図４４に示すように、車両１のセンタークラスター１００には、手前側に向けて引き出し可能なトレイ１０８が設けられている。このトレイ１０８は、スマートフォン２を収納できるように形成されている。このトレイ１０８が、特許請求の範囲に記載の「アタッチメント」に相当する。
【０１１４】
本発明の実施例４４に係るスマートフォン２の配置構造は、上述したように構成されている。この構成によれば、トレイ８４にスマートフォン２を収納できる。そのため、センタークラスター１００にスマートフォン２を配置できる。
【０１１５】
（実施例４５）
次に、図４５を参照して、本発明の実施例４５を説明する。図４５に示すように、車両１のセンタークラスター１００におけるポップアップディスプレィ８０には、ホルダー８０ｂが設けられている。このホルダー８０ｂは、スマートフォン２を装着できるように形成されている。このホルダー８０ｂが、特許請求の範囲に記載の「アタッチメント」に相当する。また、このホルダー８０ｂには、装着したスマートフォン２を充電可能な充電ケーブル８０ｃが設けられている。これにより、ホルダー８０ｂに装着したスマートフォン２を充電できる。
【０１１６】
本発明の実施例４５に係るスマートフォン２の配置構造は、上述したように構成されている。この構成によれば、ホルダー８０ｂにスマートフォン２を装着できる。そのため、センタークラスター１００にスマートフォン２を配置できる。
【０１１７】
（実施例４６）
次に、図４６を参照して、本発明の実施例４６を説明する。図４６に示すように、車両１のセンタークラスター１００におけるヒーターコントロールパネル１１０には、左右に対を成す１１０ａ、１１０ａが設けられている。この両爪１１０ａ、１１０ａは、スマートフォン２を装着できるように形成されている。この両爪１１０ａ、１１０ａが、特許請求の範囲に記載の「アタッチメント」に相当する。なお、ヒーターコントロールパネル１１０は、このように装着したスマートフォン２によってヒーター（図示しない）を操作できるように構成されている。
【０１１８】
本発明の実施例４６に係るスマートフォン２の配置構造は、上述したように構成されている。この構成によれば、両爪１１０ａ、１１０ａにスマートフォン２を装着できる。そのため、センタークラスター１００にスマートフォン２を配置できる。
【０１１９】
（実施例４７）
次に、図４７を参照して、本発明の実施例４７を説明する。図４７に示すように、車両１のセンタークラスター１００におけるナビゲーションモニタ１０４の内部には、収納部１０４ａが形成されている。この収納部１０４ａは、スマートフォン２を収納できるように形成されている。この収納部１０４ａが、特許請求の範囲に記載の「アタッチメント」に相当する。なお、このように収納したスマートフォン２の各種データをナビゲーションモニタ１０４に表示させることができる。
【０１２０】
本発明の実施例４７に係るスマートフォン２の配置構造は、上述したように構成されている。この構成によれば、ナビゲーションモニタ１０４の内部にスマートフォン２を収納できる。そのため、センタークラスター１００にスマートフォン２を配置できる。
【０１２１】
（実施例４８）
次に、図４８を参照して、本発明の実施例４８を説明する。図４８に示すように、車両１のセンタークラスター１００には、その左右に小物入れ１１２、１１２が形成されている。この両小物入れ１１２、１１２の間には、収納部１０４ａが形成されている。この収納部１０４ａは、スマートフォン２を嵌め込みできるように形成されている。この収納部１０４ａが、特許請求の範囲に記載の「アタッチメント」に相当する。また、この収納部１０４ａの高さ位置は、シフトレバー１５０ａの高さ位置と略同じとなるように設定されている。これにより、シフトレバー１５０ａに置いた手でスマートフォン２を操作できる。
【０１２２】
本発明の実施例４８に係るスマートフォン２の配置構造は、上述したように構成されている。この構成によれば、収納部１０４ａにスマートフォン２を収納できる。そのため、センタークラスター１００にスマートフォン２を配置できる。
【０１２３】
（実施例４９）
次に、図４９を参照して、本発明の実施例４９を説明する。図４９に示すように、車両１のセンタークラスター１００は、取付枠１１４を取り付けることができるように形成されている。この取付枠１１４は、スマートフォン２を嵌め込みできるように形成されている。この取付枠１１４が、特許請求の範囲に記載の「アタッチメント」に相当する。
【０１２４】
本発明の実施例４９に係るスマートフォン２の配置構造は、上述したように構成されている。この構成によれば、取付枠１１４にスマートフォン２を収納できる。そのため、センタークラスター１００にスマートフォン２を配置できる。
【０１２５】
（実施例５０）
次に、図５０を参照して、本発明の実施例５０を説明する。図５０に示すように、車両１のセンタークラスター１００における上部の中央には、ホルダー１１６が設けられている。このホルダー１１６は、スマートフォン２を装着できるように形成されている。このホルダー１１６が、特許請求の範囲に記載の「アタッチメント」に相当する。なお、このホルダー１１６は、センタークラスター１００に対して着脱できるように形成されている。また、このスマートフォン２は、そのカメラを前方に向けると、ドライブレコーダとしての機能を有する構成となっている。
【０１２６】
本発明の実施例５０に係るスマートフォン２の配置構造は、上述したように構成されている。この構成によれば、ホルダー１１６にスマートフォン２を装着できる。そのため、センタークラスター１００にスマートフォン２を配置できる。
【０１２７】
（実施例５１）
次に、図５１を参照して、本発明の実施例５１を説明する。図５１に示すように、車両１のセンタークラスター１００におけるナビゲーションモニタ１０４の助手席側の横には、収納部１０４ａが形成されている。この収納部１０４ａは、スマートフォン２を収納できるように形成されている。この収納部１０４ａが、特許請求の範囲に記載の「アタッチメント」に相当する。また、この収納部１０４ａには、収納したスマートフォン２を覆うためのカバー１０４ｂがヒンジ結合されている。
【０１２８】
本発明の実施例５１に係るスマートフォン２の配置構造は、上述したように構成されている。この構成によれば、収納部１０４ａにスマートフォン２を収納できる。そのため、センタークラスター１００にスマートフォン２を配置できる。
【０１２９】
（実施例５２）
次に、図５２を参照して、本発明の実施例５２を説明する。図５２に示すように、車両１のセンタークラスター１００における下部には、灰皿（図示しない）を収納するための収納部１０４ａが形成されている。この収納部１０４ａは、灰皿を収納しないときには、スマートフォン２を収納できるように形成されている。この収納部１０４ａが、特許請求の範囲に記載の「アタッチメント」に相当する。
【０１３０】
本発明の実施例５２に係るスマートフォン２の配置構造は、上述したように構成されている。この構成によれば、収納部１０４ａにスマートフォン２を収納できる。そのため、センタークラスター１００にスマートフォン２を配置できる。
【符号の説明】
【０１３１】
１        車両
２        スマートフォン
１４      シートバック（内装部材）
３０      サンバイザー（内装部材）
４０      グローブボックス（内装部材）
５０      バックミラー（内装部材）
６０      オーバーヘッドコンソール（内装部材）
７０      インストルメントパネル（内装部材）
１０２    カップホルダー（内装部材）
１２０    コンソールボックス（内装部材）
１２２    カップホルダー（内装部材）
１３２    ドアトリム（内装部材）
１４０    ハンドル（内装部材）
【図１】
2012214087.tif 000003
【図２】
2012214087.tif 000004
【図３】
2012214087.tif 000005
【図４】
2012214087.tif 000006
【図５】
2012214087.tif 000007
【図６】
2012214087.tif 000008
【図７】
2012214087.tif 000009
【図８】
2012214087.tif 000010
【図９】
2012214087.tif 000011
【図１０】
2012214087.tif 000012
【図１１】
2012214087.tif 000013
【図１２】
2012214087.tif 000014
【図１３】
2012214087.tif 000015
【図１４】
2012214087.tif 000016
【図１５】
2012214087.tif 000017
【図１６】
2012214087.tif 000018
【図１７】
2012214087.tif 000019
【図１８】
2012214087.tif 000020
【図１９】
2012214087.tif 000021
【図２０】
2012214087.tif 000022
【図２１】
2012214087.tif 000023
【図２２】
2012214087.tif 000024
【図２３】
2012214087.tif 000025
【図２４】
2012214087.tif 000026
【図２５】
2012214087.tif 000027
【図２６】
2012214087.tif 000028
【図２７】
2012214087.tif 000029
【図２８】
2012214087.tif 000030
【図２９】
2012214087.tif 000031
【図３０】
2012214087.tif 000032
【図３１】
2012214087.tif 000033
【図３２】
2012214087.tif 000034
【図３３】
2012214087.tif 000035
【図３４】
2012214087.tif 000036
【図３５】
2012214087.tif 000037
【図３６】
2012214087.tif 000038
【図３７】
2012214087.tif 000039
【図３８】
2012214087.tif 000040
【図３９】
2012214087.tif 000041
【図４０】
2012214087.tif 000042
【図４１】
2012214087.tif 000043
【図４２】
2012214087.tif 000044
【図４３】
2012214087.tif 000045
【図４４】
2012214087.tif 000046
【図４５】
2012214087.tif 000047
【図４６】
2012214087.tif 000048
【図４７】
2012214087.tif 000049
【図４８】
2012214087.tif 000050
【図４９】
2012214087.tif 000051
【図５０】
2012214087.tif 000052
【図５１】
2012214087.tif 000053
【図５２】
2012214087.tif 000054